(57)【特許請求の範囲】
【請求項１】
コンパクトデイスクに適応されている第１のサンプリング周波数で量子化されたマルチビットデジタル信号が記録された第１の層と、上記第１のサンプリング周波数と比して十分高い第２のサンプリング周波数で量子化された１ビットデジタル信号が記録された第２の層から構成されるマルチレイヤーディスクを再生することのできるマルチレイヤーディスク再生装置において、
上記第１の層からの再生と上記第２の層からの再生を選択的に切り換える指示を行うことのできるレイヤー切換手段と、
電源投入後に、上記マルチレイヤーディスクが再生装置に装着されている場合には上記第１の層又は上記第２の層のうちの一方の層に対する再生を優先的に実行するように設定が予めなされており、再生キーを押圧前に上記レイヤー切換手段の操作された場合には上記予め設定されている一方の層から他方の層に再生設定する層を切換える再生制御手段と、
を備えたことを特徴とするマルチレイヤーディスク再生装置。
【請求項２】
上記第１の層及び上記第２の層に記録されるプログラムは同一音源であることを特徴とする請求項１に記載のマルチレイヤーディスク再生装置。
【請求項３】
上記レイヤー切換手段の操作に応じて指示されたレイヤーを判別可能な表示を行う表示手段を更に備えたことを特徴とする請求項１に記載のマルチレイヤーディスク再生装置。
【請求項４】
コンパクトデイスクに適応されている第１のサンプリング周波数で量子化されたマルチビットデジタル信号が記録された第１の層と、上記第１のサンプリング周波数と比して十分高い第２のサンプリング周波数で量子化された１ビットデジタル信号が記録された第２の層から構成されるマルチレイヤーディスクを再生するマルチレイヤーディスク再生方法として、
電源投入後に上記マルチレイヤーディスクが再生装置に装着されたときに上記第１の層又は上記第２の層のうち一方の層の再生を優先的に実行できるように初期設定するとともに、
再生キーが押圧前に、上記第１の層と上記第２の層からの再生を選択的に切り換られる操作子が操作されたときに、上記初期設定されている一方の層から他方の層に再生を実行できるように上記初期設定を再設定することを特徴とするマルチレイヤーディスク再生方法。
【発明の詳細な説明】
【０００１】
【発明の属する技術分野】
本発明は、例えば第１の品質のオーディオ信号を第１の層に記録し、上記第１の品質より高い品質の第２のオーディオ信号を第２の層に記録したマルチレイヤーディスクの再生装置及び再生方法に関するものである。
【０００２】
【従来の技術】
現在、コンパクトディスク（以降ＣＤともいう）より大容量な新たな光ディスクＤＶＤ（Digital Versatile Disc）が提案されつつある。
このＤＶＤは直径１２ｃｍの光ディスクに従来のＣＤのトラックピッチ１．６μｍの半分の０．８μｍで情報を記録し、半導体レーザの波長をＣＤの７８０ｎｍから６３０ｎｍに変更し、更にＣＤで採用されたＥＦＭ（Eight to Fourteen Modulation）変調方式に改良を加えて片面で約４Ｇバイト相当の高密度記録を実現させている。
このようなＤＶＤにおいては、記録層として２つの層（レイヤー）を備えたマルチレイヤーディスクが最近提唱されている。
【０００３】
【発明が解決しようとする課題】
このマルチレイヤーディスクの場合において、一方のレイヤーに４４．１ＫＨｚでサンプリングされた１６ビットデジタルオーディオ信号を記録し、他方の層にサンプリング周波数を上記４４．１ＫＨｚの１６倍という非常に高いサンプリング周波数である２．８４２ＭＨｚでΣΔ変調された１ビットデジタルオーディオ信号を記録するものとする、高品質のデジタルオーディオディスクを本出願人は提唱している。
そして音楽等のデータ内容（プログラム）としては、各レイヤーで同一の内容（例えば同一の曲）とされ、従ってその同一内容のデータが、ＣＤレベルの通常品質のデータとして一方のレイヤーに記録されるとともに、より高品質なデータが他方のレイヤーに記録されるようにする。
【０００４】
このようなマルチレイヤーディスクにおいては、一方のレイヤーとして４４．１ＫＨｚでサンプリングされた１６ビットデジタルオーディオ信号が記録された層を備えているので、現在市場で普及しているコンパクトディスクプレーヤーに対しても再生可能となる。
更にＣＤプレーヤ等の再生装置においてサンプリング周波数２．８４２ＭＨｚでΣΔ変調された１ビットデジタルオーディオ信号に対応するデコーダを備えれば、上記他方のレイヤーに記録された新たなフォーマットのデータも再生できる再生装置が実現される。
即ちこのような再生装置においては、両方のレイヤーからの再生を可能にすることで、一般に多数所有されているコンパクトディスクも再生でき、かつ上記新たに提案されるマルチレイヤーディスクに対しても再生可能になる。
【０００５】
従来から販売されてるコンパクトディスクと新たに提唱されているマルチレイヤーディスクでは、外観はほぼ同じである。またマルチレイヤーディスクの一方のレイヤには、従来から販売されてるコンパクトディスクとのダウンコンパチビリテイーを守るために同一フォーマットのデータ、つまり４４．１ＫＨｚサンプリング、１６ビット量子化、ＥＦＭ変調のデジタルオーディオ信号を記録するようにしている。
なお説明上、このようにＣＤ方式のデータが記録された側のレイヤを、以下ＣＤレイヤーといい、また他方のレイヤー、つまりサンプリング周波数２．８４２ＭＨｚでΣΔ変調された１ビットデジタルオーディオ信号が記録される側のレイヤーをＨＤ（Hi-Definition）レイヤーと呼ぶこととする。
【０００６】
ところでこのようにＣＤレイヤーとＨＤレイヤーを備えたマルチレイヤーディスクに対しては、再生装置では再生すべき層を判別して各種制御動作を行わなければならない。
そこで例えば各レイヤーの識別子を予め管理領域であるＴＯＣ（table of content）に設定すれば層判別は識別子に基づいて容易に可能である。ところが、このような識別子を新たに記録してしまうと従来のコンパクトディスクとマルチレイヤーディスクのＣＤレイヤーのコンパチビリテイーが取れなくなってしまう可能性（対応に不都合が生じる可能性）があるため好ましくない。
【０００７】
更にユーザは、ディスクがＣＤかマルチレイヤーディスクかを意識的に再生装置側に装着しない限りどちらのディスクを装着しているか判断つかないという問題点がある。
またＣＤレイヤーとＨＤレイヤーに記録されているコンテンツ（プログラムとしての楽曲等）は同一内容なので、単に再生音声を聴いているだけではどちらの層を再生しているのか判断がつきにくいという問題点が存在する。
【０００８】
【課題を解決するための手段】
本発明はこのような問題点に鑑みて、コンパチビリティの点で不都合がなく、かつマルチレイヤーディスクを再生する際にユーザーが所望のレイヤを再生させること、及び再生されているレイヤを良好に認識できるようにすることを目的とする。
【０００９】
このためマルチレイヤーディスク再生装置として、コンパクトデイスクに適応されている第１のサンプリング周波数で量子化されたマルチビットデジタル信号が記録された第１の層（レイヤー）と、第１のサンプリング周波数と比して十分高い第２のサンプリング周波数で量子化された１ビットデジタル信号が記録された第２の層（レイヤー）から構成されるマルチレイヤーディスクを再生する再生装置において、第１の層からの再生と第２の層からの再生を適宜選択的に切り換える指示を行うことのできるレイヤー切換手段と、電源投入後に、上記マルチレイヤーディスクが再生装置に装着されている場合には上記第１の層又は上記第２の層のうちの一方の層に対する再生を優先的に実行するように設定が予めなされており、再生キーが押圧される前に上記レイヤー切換手段の操作された場合には上記予め設定されている一方の層から他方の層に再生設定する層を切換える再生制御手段とを備えるようにする。
即ち、マルチレイヤーディスクに対しては初期状態としては一方のレイヤーが選択されて再生されるようにしつつ、ユーザーの好みや事情に応じて他方のレイヤーの再生が行われるようにする。
また、レイヤー切換手段の操作に応じて指示されたレイヤーを判別可能な表示を行う表示手段を備えることで、ユーザーが再生されている層を認識できるようにする。
【００１０】
【発明の実施の形態】
以下、本発明に係るマルチディスク再生装置の実施の形態を以下の順序で説明する。
１．マルチレイヤーディスクの構造
２．再生装置の構成
３．再生装置の外観
４．再生動作（動作例１／動作例２）
【００１１】
１．マルチレイヤーディスクの構造
図１に本例の再生装置に適応されるマルチレイヤーディスクの構造を示す。
このマルチレイヤーディスクは、直径略１２ｃｍ、厚み１．２ｍｍの光学式ディスクとされ、層構造としては図示するように、上面側のレーベル面１０５、ＣＤレイヤー１０１、ＣＤサブストレート１０３、ＨＤレイヤー１０２、ＨＤサブストレート１０４、リード面１０６となっている。
【００１２】
この構造からわかるように記録層としてＣＤレイヤー１０１、ＨＤレイヤー１０２という２つの層が形成されており、一方のレイヤー（ＣＤレイヤー１０１）には従来からＣＤなどで知られている４４．１ＫＨｚでサンプリングされた１６ビットデジタルオーディオ信号を記録し、他方のレイヤー（ＨＤレイヤー１０２）にはサンプリング周波数を上記４４．１ＫＨｚの１６倍の非常に高いサンプリング周波数である２．８４２ＭＨｚでΣΔ変調された１ビットデジタルオーディオ信号を記録してある。
【００１３】
周波数帯域としてはＣＤレイヤー１０１は５〜２０ＫＨｚを実現し、ＨＤレイヤー１０２はＤＣ成分〜１００ＫＨｚの広範囲の周波数帯域が実現できる。
ダイナミックレンジは、 ＣＤレイヤー１０１ではオーディオ帯域全体で９８（ｄＢ）を実現し、ＨＤレイヤー１０２はオーディオ帯域全体で１２０（ｄＢ）の周波数帯域が実現できる。
【００１４】
ＣＤレイヤー１０１の最小ピット長は０．８３μｍに対して、ＨＤレイヤー１０２の最小ピット長は０．４μｍである。
トラックピッチに関しては、ＣＤレイヤー１０１は１．６μｍに対して、ＨＤレイヤー１０２は０．７４μｍである。
また、読み出しレーザー波長としては、ＣＤレイヤー１０１は７８０ｎｍに対して、ＨＤレイヤー１０２は６５０ｎｍと短波長化を図った。
更に光学ピックアップのレンズの開口率（ＮＡ）をＣＤレイヤー１０１は０．４５に対して、ＨＤレイヤー１０２は０．６とした。
【００１５】
このように、最小ピット長、トラックピッチ、レンズ開口率ＮＡ、レーザー波長を変化させることで、ＣＤレイヤー１０１のデータ容量は７８０ＭＢに対してＨＤレイヤー１０２のデータ容量は４．７ＧＢとはるかに大きいデータ容量が記録できる。
【００１６】
２．再生装置の構成
図２に本例の再生装置のブロック図を示す。
光ディスク１は、上述したマルチレイヤーディスク又は従来から知られているコンパクトディスクである。
この光ディスク１は、図示しないターンテーブルに載置され、スピンドルモータ２によってＣＬＶ(線速度一定：constant liner velocity)に回転制御される。
【００１７】
光学ヘッド３は、図示しない対物レンズ、２軸機構、半導体レーザ、及び上記半導体レーザの出射光が光ディスク１の表面で反射して、その反射光を受光する受光部とを有して構成されている。
そして上記ターンテーブルに載置されている光ディスクがマルチレイヤーディスクの場合は、そのＣＤレイヤー１０１を再生する場合には７８０nmの波長を出射する半導体レーザが用いられ、ＨＤレイヤー１０２を再生する場合は６８０nmの短波長の半導体レーザが用いられるように光路を切換える。
また、光学ヘッド３には２つの対物レンズが備えられており、ＣＤレイヤー１０１を再生する場合には開口率０．４５のレンズが用いられ、ＨＤレイヤー１０２を再生する場合は開口率０．６のレンズが用いられるように光路を切換える。装填された光ディスク１がＣＤの場合は、マルチレイヤーディスクのＣＤレイヤ１０１を再生する場合と同様となる。
【００１８】
なお、ホログラム一体型非球面レンズを用いれば、上述したような光学ヘッド３内部に２つの対物レンズを設ける必要が無く、１つのレンズで半導体レーザの光路を切換えるのみで構成でき、そのような光学ヘッドを用いてもよい。
【００１９】
上記２軸機構には、上記対物レンズを光ディスク１に接離する方向に駆動するフォーカス用コイルと、上記対物レンズを光ディスク１の半径方向に駆動するトラッキング用コイルとが形成されている。
また、この再生装置には、光学ヘッド３全体を光ディスク１の半径方向に大きく移動させるスレッドモータ（図示せず）を更に備えている。
【００２０】
光学ヘッド３内の上記受光部にて検知した反射光はＲＦアンプ４に供給され、このＲＦアンプ４での電流電圧変換、マトリクス演算処理により、フォーカスエラー信号ＦＥ、トラッキングエラー信号ＴＥが生成されるとともに再生情報としてのＲＦ信号も生成される。
【００２１】
生成されたフォーカスエラー信号ＦＥ、トラッキングエラー信号ＴＥはサーボ回路５にて位相補償回路、利得調整をされたのちに駆動回路６を介して上述したフォーカス用コイルと、トラッキング用コイルとに印加される。
さらに上記トラッキングエラー信号ＴＥをサーボ回路５内にてＬＰＦ（low pass filter）を介してスレッドエラー信号を生成して駆動回路６を介してスレッドモータに印加される。
【００２２】
更にＲＦアンプ４にて生成されたＲＦ信号は、載置されている光ディスク１がＣＤの場合は、エラー訂正及びデコーダ回路７において、２値化してＥＦＭ復調(eight to fourteen demodulation )を行うとともにＣＩＲＣ（cross interleave read solomon coding）によるエラー訂正処理を行った後にメモリコントローラー８に入力される。
一方、上記ターンテーブルに載置されている光ディスク１がマルチレイヤーディスクの場合において、ＣＤレイヤー１０１を再生する場合には、上述のＣＤの場合と同様にエラー訂正及びデコーダ回路７において２値化、ＥＦＭ復調、ＣＩＲＣエラー訂正処理が行なわれてメモリコントローラ８に供給される。
マルチレイヤーディスクのＨＤレイヤー１０２を再生する場合にはエラー訂正及びデコーダ回路７において２値化してＥＦＭ-Ｐｌｕｓ復調(eight to fourteen demodulation Plus)を行うとともに積符号(product code)に基づくエラー訂正処理が行なわれることになる。
【００２３】
またエラー訂正及びデコーダー回路７では２値化したＥＦＭ信号もしくはＥＦＭプラス信号の基準クロックとの比較により速度エラー信号及び位相エラー信号を生成して駆動回路６に供給することで光ディスク１をスピンドルモーター２にて回転制御する。
更にエラー訂正及びデコーダー回路７では２値化したＥＦＭ信号又はＥＦＭプラス信号に基づいてＰＬＬ（Phase Locked loop）の引き込み動作を制御する。
【００２４】
エラー訂正後の２値化データは、メモリコントローラ８を介して所定の転送レートでバッファメモリ９に書き込まれる。
バッファメモリ９に所定量以上のデータが蓄積されたらバッファメモリ９から書き込みの転送レートより十分遅い第２の転送レートにて読み出しを行う。
このようにバッファメモリ９に一旦データを蓄えてからオーディオデータとして出力するようにしたので、例えば振動等の外乱によってトラックジャンプが生じて光学ヘッド３からの連続したデータ読み出しが途絶えたとしても、光学ヘッド３のトラックジャンプが発生したアドレスへの再配置に要する時間に相当するデータは予めバッファメモリ９に蓄積されているのでオーディオ出力としては連続したオーディオデータ出力が実現できる。
【００２５】
尚、メモリコントローラ８はシステムコントローラ１１によって制御されている。
メモリコントローラー８によってバッファメモリ９から読み出されたデジタルデータはＤ／Ａコンバーター１０にてアナログオーディオ信号に変換され、右チャンネル出力、左チャンネル出力として出力される。
【００２６】
システムコントローラ１１は、操作部１２としての各種の操作キーの操作に応じて各種サーボ用のコマンドをサーボ回路５に転送したり、メモリコントローラ８に対してバッファメモリ９の制御の指令を与えたり、演奏経過時間や再生しているプログラムのタイトル等の文字情報の表示を表示部１３に表示するように制御を行ったり、エラー訂正・デコーダー回路７でのスピンドルサーボ制御やデコーダ制御を行うようにする。
【００２７】
３．再生装置の外観
図３に本例の再生装置の外観図（正面パネル）を示す。
トレイ２１に光ディスク１が載置され、再生装置内部に収納される。
表示部１３には、トラックナンバや、再生している曲などに対応する演奏時間、さらには現在再生してるのがＣＤレイヤー１０１（もしくはＣＤ）なのかＨＤレイヤー１０２なのかを示す表示を行う。
【００２８】
上記操作部１２を構成する各種操作子が図示するように設けられる。
ＣＤ／ＨＤ切換キー２３はマルチレイヤーディスクが収納されている場合に、再生するレイヤーの選択を行うときに操作されるキーである。
【００２９】
後述する本例の第１の動作例としては、一般に従来のＣＤが多数存在し普及していることを考慮してＣＤレイヤーを優先的に再生するようにするものである。
この場合、フォーカスをかけるフォーカス深度等の各種サーボ切換や半導体レーザの波長及び光路切換、エラー訂正及びデコーダー回路７のデコード方法を、全てＣＤを基準にシステムコントローラ１１から各種サーボ回路５、エラー訂正・デコーダー回路７に対して再生装置の電源オン時に予め設定をしておく。
このようにしておくことで、従来のコンパクトディスクが装着されても迅速な再生が可能になる。
【００３０】
またこの場合、再生装置内部にマルチレイヤーディスクが収納されている場合に、最初に優先的にＣＤレイヤー１０１が再生されてしまうことになるが、ＨＤレイヤー１０２を再生させたい場合には、ユーザーはＣＤ／ＨＤ切換キー２３を操作して適宜切換えるようにする。
即ちＣＤ／ＨＤ切換キー２３は最初の押圧でＣＤレイヤー１０１からＨＤレイヤー１０２への移行、次の押圧でＨＤレイヤー１０２からＣＤレイヤー１０１への移行というようなトグル的な指示操作のための操作子となる。
【００３１】
またＣＤ／ＨＤ切換キー２３の操作に応じて表示部２２のＣＤ、ＨＤのエレメント表示を適宜選択的に点灯、点滅させても良い。
図３では「ＨＤ」のエレメントが点灯又は点滅されていることでＨＤレイヤー１０２が選択されていることを示している。
【００３２】
後述する第２の動作例としては、マルチレイヤーディスクの新規なフォーマットであるＨＤレイヤー１０２を優先的に再生するようにしている。
ユーザがマルチレイヤーディスク対応の再生装置を購入した場合、それはマルチレイヤーディスクのＨＤレイヤー１０２の再生を楽しむ為に購入したと考えることもでき、従ってＨＤレイヤー１０２を優先的に使用することが多いと考慮した場合の動作例となる。
この場合、フォーカスをかけるフォーカス深度等の各種サーボ切換や半導体レーザの波長及び光路切換、エラー訂正及びデコーダー回路７のデコード方法を全てＨＤレイヤー１０２を基準にして、システムコントローラ１１から各種サーボ回路５、エラー訂正及びデコーダー回路７に対して再生装置の電源オン時に予め設定をしておく。
【００３３】
なおこのようにした場合、従来のコンパクトディスクが装着された場合は再生を開始するまでの時間は多少長くなってしまう。
また、再生装置内部にマルチレイヤーディスクが収納されている場合に、最初に優先的にＨＤレイヤー１０２が再生されてしまうので、ＣＤレイヤー１０１を選択して再生させたい場合には、ユーザーはＣＤ／ＨＤ切換キー２３によって適宜切換えるようにする。上記の場合と同様に、ＣＤ／ＨＤ切換キー２３はトグル的な切換操作子として機能する。
【００３４】
図３に示すように、この再生装置は、その他の操作子として再生指示／一時停止キー２４、選曲動作行う為のＡＭＳ(auto music sensor)キー２５、２６と、再生停止キー２７などを備えている。
【００３５】
４．再生動作（動作例１／動作例２）
図４に本例の再生装置の第１の動作例としての動作に対応するフローチャートを示す。このフローチャートはシステムコントローラ１１による制御処理となる。
【００３６】
システムコントローラ１１はステップＳＰ１にて再生装置の電源が投入されたか否かを判別する。投入されなければ電源オンになるのを待つ。
ステップＳＰ１にて再生装置の電源が投入された場合には、ステップＳＰ２にてシステムコントローラー１１内の初期値として、ＣＤレイヤー１０１に対する各種設定値をデフォルトとして設定する。
【００３７】
ステップＳＰ３にて、再生キー２４が押圧されたか否かを判別して再生キー２４が押圧されていない場合は、ステップＳＰ４にてＣＤ／ＨＤレイヤー切換キー２３が押圧されたか否かを判別する。
【００３８】
ステップＳＰ４にてＣＤ／ＨＤレイヤー切換キー２３が押圧されたことが検出された場合は、ステップＳＰ５にてシステムコントローラー１１内の初期値設定をＨＤレイヤー１０２に対する各種設定値をデフォルトとして設定する。
そしてこの場合、再生キー２４は押圧されていないが、ＣＤ／ＨＤレイヤー切換キー２３が押圧されたことをＨＤレイヤー１０２に対する再生要求と判断して、システムコントローラ１１はステップＳＰ６にてＨＤレイヤーを再生する動作を実行させるとともにステップＳＰ７にて表示部１３にＨＤ表示（ＨＤエレメントの点灯又は点滅）を行う。
【００３９】
そしてステップＳＰ８にてＣＤ／ＨＤレイヤー切換キー２３が再生中に押圧されたか否かを再度監視する。
ＣＤ／ＨＤレイヤー切換キー２３が再生中に押圧されていないのであれば、ステップＳＰ１２で停止キー２７の操作が検出されるまで（もしくは再生が終了するまで）、ＨＤレイヤー１０２の再生状態を続ける。
【００４０】
ＨＤレイヤー１０２の再生中に、ステップＳＰ８にてＣＤ／ＨＤレイヤー切換キー２３が押圧されたことが検出された場合は、ステップＳＰ９でレイヤー切換制御を行い、ステップＳＰ１０にて切換えたレイヤーの再生を開始させるとともにステップＳＰ１１にて表示部の表示も併せて切換える。つまりこの場合はＣＤレイヤー１０１が再生されることになるため、表示部１３にＣＤ表示（ＣＤエレメントの点灯又は点滅）を行う。
【００４１】
続いてステップＳＰ１２にて停止キー２７が操作されたか否かを判別して、停止キーが操作されてない場合には再度ステップＳＰ８に戻って再生中でのＣＤ／ＨＤレイヤー切換キー２３が押圧されたか否かの判別を行う。
再びＣＤ／ＨＤレイヤー切換キー２３が押圧された場合は、ステップＳＰ９〜ＳＰ１１の処理で再生するレイヤが再度切り換えられ、表示も切り換えられることになる。
【００４２】
ＨＤレイヤー１０２の再生中もしくはＣＤレイヤー１０１の再生中にステップＳＰ１２にて停止キー２７が操作された場合（もしくはそのレイヤーの再生が終了した場合）は、ステップＳＰ１３にて再生停止処理を行いステップＳＰ１４にて処理を終了する。
【００４３】
上記ステップＳＰ３で再生キー２４が押圧された場合は、ステップＳＰ２で設定した初期値（即ちＣＤ対応の設定値）のままで、ステップＳＰ１５にてＣＤレイヤー１０１の再生（もしくはＣＤの再生）を開始する。そしてステップＳＰ１６にて表示部にＣＤ表示を行う。
そしてステップＳＰ８以降の処理に進み、ＣＤレイヤー１０１の再生を行うとともに、ＣＤ／ＨＤレイヤー切換キー２３の押圧に応じて再生レイヤや表示の切換が行われることになる。
【００４４】
なお、このフローチャートでは、再生キー２４もしくはＣＤ／ＨＤレイヤー切換キー２３の押圧を再生開始のトリガとしているが、これらのキーが操作されなくてもディスク１の挿入に応じて再生が開始されるようにしてもよい。
そのようにする場合は、図中破線で示したように、ステップＳＰ４で否定結果となったときにステップＳＰ１５に進むようにし、ＣＤレイヤー１０１が優先的に再生させるとともに、ステップＳＰ１６にて表示部１３にＣＤ表示を行うようにする。
【００４５】
このような第１の動作例によれば、マルチレイヤーディスクが装填された場合には、まずＣＤレイヤー１０１が優先的に再生されるように初期設定される。従って、もしＣＤが装填された場合でも、そのＣＤに対して迅速に再生対応できることとなる。
またＨＤレイヤーを再生させたい場合などで再生レイヤを切り換えたい場合は、ユーザーはＣＤ／ＨＤレイヤー切換キー２３の押圧により切換を指示すればよい。
従ってこの第１の動作例は、主にＣＤを多数保有するユーザーにとって好適な動作となる。
【００４６】
続いて図５により本例の第２の動作例を説明する。
システムコントローラ１１はステップＳＰ２０にて再生装置の電源が投入されたか否かを判別する。投入されなければ電源オンになるのを待つ。
ステップＳＰ２０にて再生装置の電源が投入された場合には、ステップＳＰ２１にてシステムコントローラー１１内の初期値として、ＨＤレイヤー１０２に対する各種設定値をデフォルトとして設定する。
【００４７】
ステップＳＰ２２にて、再生キー２４が押圧されたか否かを判別して再生キー２４が押圧されていない場合は、ステップＳＰ２３にてＣＤ／ＨＤレイヤー切換キー２３が押圧されたか否かを判別する。
【００４８】
ステップＳＰ２３にてＣＤ／ＨＤレイヤー切換キー２３が押圧されたことが検出された場合は、ステップＳＰ２４にてシステムコントローラー１１内の初期値設定をＣＤレイヤー１０１に対する各種設定値をデフォルトとして設定する。
そしてこの場合、再生キー２４は押圧されていないが、ＣＤ／ＨＤレイヤー切換キー２３が押圧されたことをＣＤレイヤー１０１に対する再生要求と判断して、システムコントローラ１１はステップＳＰ２５にてＣＤレイヤーを再生する動作（もしくはＣＤの再生動作）を実行させるとともにステップＳＰ２６にて表示部１３にＣＤ表示（ＣＤエレメントの点灯又は点滅）を行う。
【００４９】
そしてステップＳＰ２７にてＣＤ／ＨＤレイヤー切換キー２３が再生中に押圧されたか否かを再度監視する。
ＣＤ／ＨＤレイヤー切換キー２３が再生中に押圧されていないのであれば、ステップＳＰ３１で停止キー２７の操作が検出されるまで（もしくは再生が終了するまで）、ＣＤレイヤー１０１の再生状態を続ける。
【００５０】
ＣＤレイヤー１０１の再生中に、ステップＳＰ２７にてＣＤ／ＨＤレイヤー切換キー２３が押圧されたことが検出された場合は、ステップＳＰ２８でレイヤー切換制御を行い、ステップＳＰ２９にて切換えたレイヤーの再生を開始させるとともにステップＳＰ１３０て表示部１３の表示も併せて切換える。つまりこの場合はＨＤレイヤー１０２が再生されることになるため、表示部１３にＨＤ表示（ＨＤエレメントの点灯又は点滅）を行う。
【００５１】
続いてステップＳＰ３１にて停止キー２７が操作されたか否かを判別して、停止キーが操作されてない場合には再度ステップＳＰ２７に戻って再生中でのＣＤ／ＨＤレイヤー切換キー２３が押圧されたか否かの判別を行う。
再びＣＤ／ＨＤレイヤー切換キー２３が押圧された場合は、ステップＳＰ２８〜ＳＰ３０の処理で再生するレイヤが再度切り換えられ、また表示が切り換えられることになる。
【００５２】
ＨＤレイヤー１０２の再生中もしくはＣＤレイヤー１０１の再生中にステップＳＰ３１にて停止キー２７が操作された場合（もしくはそのレイヤーの再生が終了した場合）は、ステップＳＰ３２にて再生停止処理を行いステップＳＰ３３にて処理を終了する。
【００５３】
上記ステップＳＰ２２で再生キー２４が押圧された場合は、ステップＳＰ２１で設定した初期値（即ちＨＤ対応の設定値）のままで、ステップＳＰ３４にてＨＤレイヤー１０２の再生を開始する。そしてステップＳＰ３５にて表示部にＨＤ表示を行う。
そしてステップＳＰ２７以降の処理に進み、ＨＤレイヤー１０２の再生を行うとともに、ＣＤ／ＨＤレイヤー切換キー２３の押圧に応じて再生レイヤや表示の切換が行われることになる。
【００５４】
なお、このフローチャートでも図４と同様に、再生キー２４もしくはＣＤ／ＨＤレイヤー切換キー２３の押圧を再生開始のトリガとしているが、これらのキーが操作されなくてもディスク１の挿入に応じて再生が開始されるようにしてもよい。すなわち図中破線で示すように、ステップＳＰ２３で否定結果となったときにステップＳＰ３４に進むようにし、ＨＤレイヤー１０２が優先的に再生させるとともに、ステップＳＰ３５にて表示部１３にＨＤ表示を行うようにする。
【００５５】
このような第２の動作例によれば、マルチレイヤーディスクが装填された場合には、まずＨＤレイヤー１０２が優先的に再生されるように初期設定される。従って、もしＨＤレイヤーを目的とした再生が行われる場合は、迅速に再生対応できることとなる。
またＣＤレイヤーを再生させたい場合など再生レイヤーを切り換えたい場合は、ユーザーはＣＤ／ＨＤレイヤー切換キー２３の押圧により切換を指示すればよい。
従ってこの第２の動作例は、特に高品質なＨＤレイヤーの再生を主に楽しみたいユーザーにとって好適なものとなる。
【００５６】
以上実施の形態の例を説明してきたが、本発明としての変形例や適用範囲は多様に考えられる。
例えば上記例では２層式ディスクの一方のレイヤに４４．１ＫＨｚでサンプリングされた1６ビットデジタルオーディオ信号を、他方にサンプリング周波数２．８４２ＭＨｚでΣΔ変調された１ビットデジタルオーディオ信号を記録するものとしたが、例えば２層式ディスクの一方に４４．１ＫＨｚでサンプリングされた1６ビットデジタルオーディオ信号を、他方にサンプリング周波数４８×ｎ（ＫＨｚ）（ｎは２以上の整数）で量子化されたｍビット（ｍは１７以上）デジタルオーディオ信号を記録したものでも良い。
更に変形例として２層に限定されるのではなく、３層以上の多層ディスクの各々のレイヤーに対してサンプリング周波数が異なり、量子化ビット数の異なるデジタルオーディオ信号を記録してもよい。
【００５７】
【発明の効果】
以上説明したように本発明では、マルチレイヤーディスクに対しては初期状態として一方のレイヤーが選択されて再生されるようにしつつ、ユーザーの好みや事情に応じて他方のレイヤーの再生が行われるようにしている。つまり予め再生を行う記録層（レイヤ）の優先順位を再生装置側で決めておく。従ってユーザーがよけいな操作を行わなくとも一方の層の再生が行うことができる。
またレイヤー切換手段を用いたユーザーの指示に応じて再生対象となる層を切り換えることで、ユーザーの好みや事情に応じた再生が実現される。
さらに再生対象となっている層の表示が行なわれることで、ユーザーは何ら操作をしなくとも現在再生している層の確認ができるという効果がある。
また、特にマルチレイヤーディスクにＣＤレイヤーとＨＤレイヤーなどの判別情報を記録しておく必要もないため、従来のＣＤとの間のコンパチビリティの実現の点でも都合がよい。
【図面の簡単な説明】
【図１】本発明の実施の形態の再生装置に対応できるマルチレイヤーディスクの構造の説明図である。
【図２】実施の形態の再生装置のブロック図である。
【図３】実施の形態の再生装置の正面パネルの説明図である。
【図４】実施の形態の第１の動作例のフローチャートである。
【図５】実施の形態の第２の動作例のフローチャートである。
【符号の説明】
１  光ディスク、２  スピンドルモータ、３  光学ヘッド、４  ＲＦアンプ、５  サーボ回路、６  駆動回路、７  エラー訂正及びデコード回路、８  メモリコントローラ、９  バッファメモリ、１０  Ｄ／Ａコンバータ、１１  システムコントローラ、１２  操作部、１３  表示部、２３  ＣＤ／ＨＤレイヤー切換キー、２４  再生キー、２７  停止キー、１０１  ＣＤレイヤー、１０２  ＨＤレイヤー
【図１】
0003968485.tif 000002
【図２】
0003968485.tif 000003
【図３】
0003968485.tif 000004
【図４】
0003968485.tif 000005
【図５】
0003968485.tif 000006